【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
無線端末に関するＱoＳ資源状態を制御するための方法であって、
プロバイダによって、加入者に関するＱoＳに関係する第１の要求を第１の資源要求者から受信することと、
前記プロバイダによって、前記加入者に関するＱoＳに関係する第２の要求を第２の資源要求者から受信することであって、前記第１の要求と前記第２の要求のうちの少なくとも１つは前記加入者の代わりに行われるとともに、前記第１及び第２の資源要求者のうちの少なくとも１つは、アクセスリンクの加入者側のデバイスであることと、
前記プロバイダによって、前記無線端末に関するＱoＳ資源を前記第１及び第２の要求に基づいて制御することと、を具備する、方法。
【請求項２】
前記第１及び第２の資源要求者は、ネットワークインフラストラクチャデバイスである請求項１に記載の方法。
【請求項３】
前記第１の資源要求者は、アクセスリンクのネットワークオペレータ側にあり、前記第２の資源要求者は、前記アクセスリンクの加入者側にある請求項１に記載の方法。
【請求項４】
前記第１及び第２の要求は、実質的に同様のプロトコルを通じて受信される請求項１に記載の方法。
【請求項５】
前記第１及び第２の要求に関連するパラメータを前記加入者に関するアタッチメントポイントの変更に関連して他のノードに中継することをさらに具備する請求項１に記載の方法。
【請求項６】
請求項１に記載の方法を行うように構成された基地局。
【請求項７】
請求項２に記載の方法を行うように構成された基地局。
【請求項８】
請求項３に記載の方法を行うように構成された基地局。
【請求項９】
前記第１及び第２の要求のうちの少なくとも１つは、少なくとも１つの特定のトラフィックフローに関するＱoＳ要求を含む請求項１に記載の方法。
【請求項１０】
無線通信デバイスであって、
加入者に関するＱoＳに関連する第１の要求を第１の資源要求者から受信するための手段と、
前記加入者に関するＱoＳに関連する第２の要求を第２の資源要求者から受信するための手段であって、前記第１及び第２の要求のうちの少なくとも１つは、前記加入者の代わりに行われるとともに、前記第１及び第２の資源要求者のうちの少なくとも１つは、アクセスリンクの加入者側のデバイスである手段と、
前記加入者に関するＱoＳ資源を前記第１及び第２の要求に基づいて同時に制御するための手段と、を具備する、無線通信デバイス。
【請求項１１】
前記第１及び第２の要求のうちの少なくとも１つは、少なくとも１つの特定のトラフィックフローに関するＱoＳ要求を含む請求項１０に記載の無線通信デバイス。
【請求項１２】
前記第１及び第２の資源要求者のうちの少なくとも１つは、アプリケーションサーバーである請求項１０に記載の無線通信デバイス。
【請求項１３】
前記第１及び第２の資源要求者のうちの少なくとも１つは、前記加入者に対応するデバイスである請求項１０に記載の無線通信システム。
【請求項１４】
プロセッサであって、
加入者に関するＱoＳ処理に関連する第１の要求を受信するための命令であって、前記第１の要求は第１の資源要求者によって生成される命令と、
前記加入者に関するＱoＳ処理に関連する第２の要求を受信するための命令であって、前記第２の要求は第２の資源要求者によって生成される命令であって、前記第１の要求と前記第２の要求のうちの少なくとも１つは前記加入者の代わりに行われるとともに、前記第１及び第２の資源要求者のうちの少なくとも１つは、アクセスリンクの加入者側のデバイスである命令と、
前記第１及び第２の要求に少なくとも部分的に基づいて前記加入者にＱoＳ処理を提供するための命令と、を実行するように構成された、プロセッサ。
【請求項１５】
機械によって読み取り可能な媒体であって、
無線端末に提供するＱoＳ処理に関係する第１のネットワークインフラストラクチャデバイスからプロバイダによって、第１の要求を受信するための機械によって実行可能な命令と、
前記無線端末に提供するＱoＳ処理に関係する第２のネットワークインフラストラクチャデバイスから前記プロバイダによって、第２の要求を受信するための機械によって実行可能な命令であって、前記第１の要求と前記第２の要求のうちの少なくとも１つは加入者の代わりに行われるとともに、前記第１及び第２の要求のうちの少なくとも１つは、アクセスリンクの加入者側のデバイスによって行われる命令と、
前記プロバイダによって、前記第１及び第２の要求のうちの１つ以上に少なくとも部分的に基づいて前記無線端末と関連づけられた少なくとも１つのトラフィックフローにＱoＳ処理を提供するための機械によって実行可能な命令と、を格納している、機械によって読み取り可能な媒体。
【請求項１６】
前記無線端末に提供するＱoＳ処理に関係する第３の要求を前記プロバイダによって、アクセスリンクの加入者側のデバイスから受信するためのさらなる機械によって実行可能な命令と、
前記プロバイダによって、前記第３の要求に少なくとも部分的に基づいて前記無線端末と関連づけられた少なくとも１つのトラフィックフローにＱoＳ処理を提供するためのさらなる機械によって実行可能な命令と、を格納している請求項１５に記載の機械によって読み取り可能な媒体。
【請求項１７】
無線通信装置であって、
無線端末に関するＱoＳに関係する第１及び第２の要求を受信するための命令を保持するメモリであって、前記第１及び第２の要求は、別々のエンティティによって生成され、前記要求のうちの少なくとも１つは、前記無線端末の代わりに行われるとともに、前記第１及び第２の要求のうちの少なくとも１つは、アクセスリンクの加入者側のデバイスによって行われるメモリと、
前記命令を実行し、少なくとも１つのトラフィックフローに関する前記無線端末に関するＱoＳ処理を提供することに関連して前記第１及び第２の要求の内容を解析するプロセッサと、を具備する、無線通信装置。
【請求項１８】
前記メモリは、前記無線端末に関するハンドオフの発生時に前記第１及び第２の要求の内容を他のノードに中継するための命令をさらに保持する請求項１７に記載の無線通信装置。
【請求項１９】
無線通信環境において要求されたＱoＳ処理を受信するための方法であって、
第１の資源要求者によって行われた第１の要求に少なくとも部分的に基づいて第１のトラフィックフローに関するＱoＳ処理を加入者によってプロバイダから受信することと、
第２の資源要求者によって行われた第２の要求に少なくとも部分的に基づいて第２のトラフィックフローに関するＱoＳ処理を前記加入者によって前記プロバイダから受信することと、を具備し、
前記第１の要求と前記第２の要求のうちの少なくとも１つは前記加入者の代わりに行われるとともに、前記第１及び第２の資源要求者のうちの少なくとも１つは、アクセスリンクの加入者側のデバイスである方法。
【請求項２０】
前記加入者が通信可能な形で第２のプロバイダに結合することと、
前記第１及び第２のトラフィックフローに関するＱoＳ処理を第２のプロバイダから前記加入者によって受信することと、をさらに具備する請求項１９に記載の方法。
【請求項２１】
前記プロバイダは、基地局である請求項１９に記載の方法。
【請求項２２】
前記第１及び第２の資源要求者は、ネットワークインフラストラクチャデバイスである請求項１９に記載の方法。
【請求項２３】
前記第１及び第２の資源要求者のうちの１つは、アクセスリンクの加入者側のデバイスである請求項１９に記載の方法。
【請求項２４】
通信デバイスであって、
第１のトラフィックフローに関するＱoＳ処理を受信するための手段であって、前記ＱoＳ処理は、前記通信デバイスの代わりに第１の資源要求者によって行われた第１の要求に基づく手段と、
第２のトラフィックフローに関するＱoＳ処理を同時に受信するための手段であって、前記ＱoＳ処理は、前記通信デバイスの代わりに第２の資源要求者によって行われた第２の要求に基づく手段と、を具備し、
前記第１及び第２の資源要求者のうちの少なくとも１つは、アクセスリンクの加入者側のデバイスである、通信デバイス。
【請求項２５】
無線端末である請求項２４に記載の通信デバイス。
【請求項２６】
前記第１の資源要求者は、ネットワークインフラストラクチャデバイスであり、前記第２の資源要求者は、加入者側デバイスである請求項２４に記載の通信デバイス。
【請求項２７】
前記第１及び第２のトラフィックフローに関する前記ＱoＳ処理のプロバイダは、基地局である請求項２４に記載の通信デバイス。
【請求項２８】
プロセッサであって、
加入者の代わりに第１の資源要求者によって要求されたＱoＳ処理の対象である第１のトラフィックフローを受信するための命令と、
第２の資源要求者によって要求されたＱoＳ処理の対象である第２のトラフィックフローを受信するための命令と、を実行するように構成され、
前記第１及び第２の資源要求者のうちの少なくとも１つは、アクセスリンクの加入者側のデバイスである、プロセッサ。
【請求項２９】
請求項２８に記載のプロセッサを具備するモバイルハンドセット。
【請求項３０】
前記第１及び第２のトラフィックフローを同時に受信するようにさらに構成された請求項２８に記載のプロセッサ。
【請求項３１】
機械によって読み取り可能な媒体であって、
第１の資源要求者によって行われた第１の要求に少なくとも部分的に基づいて第１のトラフィックフローに関するＱoＳ処理をプロバイダによって受信するための機械によって実行可能な命令と、
第２の資源要求者によって行われた第２の要求に少なくとも部分的に基づいて第２のトラフィックフローに関するＱoＳ処理を前記プロバイダによって受信するための機械によって実行可能な命令であって、前記第１の要求と前記第２の要求のうちの少なくとも１つは加入者の代わりに行われるとともに、前記第１及び第２の資源要求者のうちの少なくとも１つは、アクセスリンクの加入者側のデバイスである命令と、
を格納している、機械によって読み取り可能な媒体。
【請求項３２】
第３のトラフィックフローに関するＱoＳ処理を要求するための追加の機械によって実行可能な命令を格納している請求項３１に記載の機械によって読み取り可能な媒体。
【請求項３３】
無線通信装置であって、
第１及び第２のトラフィックフローを受信するための命令を保持するメモリであって、前記第１及び第２のトラフィックフローは、第１及び第２の資源要求者によって生成された第１及び第２の要求に基づいたＱoＳの対象であるメモリであって、前記第１の要求と前記第２の要求のうちの少なくとも１つはユーザーの代わりに行われるとともに、前記第１及び第２の資源要求者のうちの少なくとも１つは、アクセスリンクの加入者側のデバイスであるメモリと、
前記命令を実行し、前記第１及び第２のトラフィックフローを前記ユーザーに提供するプロセッサと、を具備する、無線通信装置。
【手続補正２】
【補正対象書類名】明細書
【補正対象項目名】０１１１
【補正方法】変更
【補正の内容】
【０１１１】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識するであろう。従って、説明される実施形態は、添付された請求項の精神又は適用範囲内にあるあらゆる変更、修正及び変形を包含することが意図されている。さらに、発明を実施するための最良の形態又は請求項の範囲において「含む」という表現が用いられている限りにおいて、該表現は、「具備する」いう表現が請求項において移行語として採用されたときの解釈と同様の包含性を有することが意図されている。
以下に、本願出願の当初の特許請求の範囲に記載された発明を付記する。
［１］
端末に関するサービス品質資源状態を制御するための方法であって、
加入者に関するサービス品質に関係する第１の要求を第１の要求者から受信することと、
前記加入者に関するサービス品質に関係する第２の要求を第２の要求者から受信することと、
前記無線端末に関するサービス品質資源を前記第１及び第２の要求の関数として制御すること、とを具備する、方法。
［２］
前記第１及び第２の要求者は、ネットワークインフラストラクチャデバイスである［１］に記載の方法。
［３］
前記第１の要求者は、アクセスリンクのネットワークオペレータ側にあり、前記第２の要求者は、前記アクセスリンクの加入者側にある［１］に記載の方法。
［４］
前記第１及び第２の要求は、実質的に同様のプロトコルを通じて受信される［１］に記載の方法。
［５］
前記第１及び第２の要求に関連するパラメータを前期加入者に関するアタッチメントポイントの変更に関連して他のノードに中継することをさらに具備する［１］に記載の方法。
［６］
［１］に記載の方法を行うように構成された基地局。
［７］
［２］に記載の方法を行うように構成された基地局。
［８］
［３］に記載の方法を行うように構成された基地局。
［９］
前期第１及び第２の要求のうちの少なくとも１つは、少なくとも１つの特定のトラフィックフローに関するサービス品質要求を含む［１］に記載の方法。
［１０］
無線通信デバイスであって、
サービス品質に関連する第１の要求を第１の要求者から受信するための手段と、
サービス品質に関連する第２の要求を第２の要求者から受信するための手段であって、前期第１及び第２の要求のうちの少なくとも１つは、加入者の代わりに行われる手段と、
前記加入者に関するサービス品質資源を前記第１及び第２の要求の関数として同時に制御するための手段と、を具備する、無線通信デバイス。
［１１］
前記第１及び第２の要求のうちの少なくとも１つは、少なくとも１つの特定のトラフィックフローに関するサービス品質要求を含む［１０］に記載の無線通信デバイス。
［１２］
前記第１及び第２の要求者のうちの少なくとも１つは、アプリケーションサーバーである［１０］に記載の無線通信デバイス。
［１３］
前記第１及び第２の要求者のうちの少なくとも１つは、前記加入者に対応するデバイスである［１０］に記載の無線通信システム。
［１４］
プロセッサであって、
加入者に関するサービス品質処理に関連する第１の要求を受信するための命令であって、前記第１の要求は第１の要求者によって生成される命令と、
前記加入者に関するサービス品質処理に関連する第２の要求を受信するための命令であって、前記第２の要求は第２の要求者によって生成される命令と、
前記第１及び第２の要求に少なくとも部分的に基づいて前記加入者にサービス品質処理を提供するための命令と、を実行するように構成された、プロセッサ。
［１５］
機械によって読み取り可能な媒体であって、
無線端末に提供するサービス品質処理に関係する第１のネットワークインフラストラクチャデバイスから第１の要求を受信するための機械によって実行可能な命令と、
前記無線端末に提供するサービス品質処理に関係する第２のネットワークインフラストラクチャデバイスから第２の要求を受信するための機械によって実行可能な命令と、
前記第１及び第２の要求のうちの１つ以上に少なくとも部分的に基づいて前記無線端末と関連づけられた少なくとも１つのトラフィックフローにサービス品質処理を提供するための機械によって実行可能な命令と、を格納している、機械によって読み取り可能な媒体。
［１６］
前記無線端末に提供するサービス品質処理に関係する第３の要求をアクセスリンクの加入者側のデバイスから受信するためのさらなる機械によって実行可能な命令と、
前記第３の要求に少なくとも部分的に基づいて前記無線端末と関連づけられた少なくとも１つのトラフィックフローにサービス品質処理を提供するためのさらなる機械によって実行可能な命令と、を格納している［１５］に記載の機械によって読み取り可能な媒体。
［１７］
無線通信装置であって、
無線端末に関するサービス品質に関係する第１及び第２の要求を受信するための命令を保持するメモリであって、前記第１及び第２の要求は、別々のエンティティによって生成され、前記要求のうちの少なくとも１つは、前記無線端末の代わりに行われるメモリと、
前記命令を実行し、少なくとも１つのトラフィックフローに関する前記無線端末に関するサービス品質処理を提供することに関連して前記第１及び第２の要求の内容を解析するプロセッサと、を具備する、無線通信装置。
［１８］
前記メモリは、前記無線端末に関するハンドオフの発生時に前記第１及び第２の要求の内容を他のノードに中継するための命令をさらに保持する［１７］に記載の無線通信装置。
［１９］
無線通信環境において要求されたサービス品質処理を受信するための方法であって、
第１の要求者によって行われた第１の要求に少なくとも部分的に基づいて第１のトラフィックフローに関するサービス品質処理をプロバイダから受信することと、
第２の要求者によって行われた第２の要求に少なくとも部分的に基づいて第２のトラフィックフローに関するサービス品質処理を前記プロバイダから受信すること、とを具備する、方法。
［２０］
通信可能な形で第２のプロバイダに結合することと、
前記第１及び第２のトラフィックフローに関するサービス品質処理を第２のプロバイダから受信すること、とをさらに具備する［１９］に記載の方法。
［２１］
前記プロバイダは、基地局である［１９］に記載の方法。
［２２］
前記第１及び第２の要求者は、ネットワークインフラストラクチャデバイスである［１９］に記載の方法。
［２３］
前記第１及び第２の要求者のうちの１つは、アクセスリンクの加入者側のデバイスである［１９］に記載の方法。
［２４］
通信デバイスであって、
第１のトラフィックフローに関するサービス品質処理を受信するための手段であって、前記サービス品質処理は、前記通信デバイスの代わりに第１の要求者によって行われた第１の要求に基づく手段と、
第２のトラフィックフローに関するサービス品質処理を同時に受信するための手段であって、前記サービス品質処理は、前記通信デバイスの代わりに第２の要求者によって行われた第２の要求に基づく手段と、を具備する、通信デバイス。
［２５］
無線端末である［２４］に記載の通信デバイス。
［請求項２６］
前記第１の要求者は、ネットワークインフラストラクチャデバイスであり、前記第２の要求者は、加入者側デバイスである［２４］に記載の通信デバイス。
［２７］
前記第１及び第２のトラフィックフローに関する前記サービス品質処理のプロバイダは、基地局である［２４］に記載の通信デバイス。
［２８］
プロセッサであって、
加入者の代わりに第１の要求者によって要求されたサービス品質処理の対象である第１のトラフィックフローを受信するための命令と、
第２の要求者によって要求されたサービス品質処理の対象である第２のトラフィックフローを受信するための命令と、を実行するように構成された、プロセッサ。
［２９］
［２８］に記載のプロセッサを具備するモバイルハンドセット。
［３０］
前記第１及び第２のトラフィックフローを同時に受信するようにさらに構成された［２８］に記載のプロセッサ。
［３１］
機械によって読み取り可能な媒体であって、
第１の要求者によって行われた第１の要求に少なくとも部分的に基づいて第１のトラフィックフローに関するサービス品質処理をプロバイダから受信するための機械によって実行可能な命令と、
第２の要求者によって行われた第２の要求に少なくとも部分的に基づいて第２のトラフィックフローに関するサービス品質処理を前記プロバイダから受信するための機械によって実行可能な命令と、を格納している、機械によって読み取り可能な媒体。
［３２］
第３のトラフィックフローに関するサービス品質処理を要求するための追加の機械によって実行可能な命令を格納している［３１］に記載の機械によって読み取り可能な媒体。
［３３］
無線通信装置であって、
第１及び第２のトラフィックフローを受信するための命令を保持するメモリであって、前記第１及び第２のトラフィックフローは、第１及び第２の要求者によって生成された第１及び第２の要求に基づいたサービス品質の対象であるメモリと、
前記命令を実行し、前記第１及び第２のトラフィックフローをユーザーに提供するプロセッサと、を具備する、無線通信装置。